(57)【要約】【課題】躯体から懸垂した吊り材の下端部に野縁受けが支持され、野縁受けに天井材を支持する野縁が接続された吊り天井において、野縁受けが天井材から水平力を受けることによる座屈と捩り変形を防止し、野縁と天井材との接合部等の損傷を防止する。【解決手段】野縁受け５の全長の内、吊り材２の下端部と少なくとも吊り材２の片側に配置され、躯体１と野縁受けと５の間に架設されるブレース８の下端部間の区間に、野縁受け５の軸方向に交差する方向に軸方向を向けて付加野縁９を配置し、野縁受け５に接続する。付加野縁９を野縁受け５の下面側に配置し、天井材７に接続する。【選択図】図１
2014231680.tif 000002
【特許請求の範囲】
【請求項１】
躯体から懸垂した吊り材の下端部に野縁受けが支持され、この野縁受けに天井材を支持する野縁が接続され、前記躯体と前記野縁受けとの間に、少なくとも吊り材の片側にブレースが架設され、このブレースの下端部が前記野縁受けに接続された吊り天井において、
前記野縁受けの全長の内、前記吊り材の下端部と前記ブレースの下端部との間の区間に、前記野縁受けの軸方向に交差する方向に軸方向を向けて付加野縁が配置され、前記野縁受けに接続されていることを特徴とする吊り天井の耐震補強構造。
【請求項２】
前記付加野縁は前記野縁受けの下面側に配置され、前記天井材に接続されていることを特徴とする請求項１に記載の吊り天井の耐震補強構造。
【請求項３】
前記野縁受けの上に、前記付加野縁に平行に付加野縁受けが配置され、前記野縁受けに接続されていることを特徴とする請求項１、もしくは請求項２に記載の吊り天井の耐震補強構造。
【発明の詳細な説明】
【技術分野】
【０００１】
本発明は躯体から懸垂した吊り材の下端部に野縁受けが支持され、野縁受けに天井材を支持する野縁が接続された吊り天井において、野縁受けが天井材から水平力を受けることによる座屈と捩り変形を防止し、野縁と天井材との接合部等の損傷を防止する吊り天井の耐震補強構造に関するものである。
【背景技術】
【０００２】
上階のスラブ、梁等の躯体から吊り材が懸垂し、吊り材を挟んだ両側の、または吊り材の片側の躯体と天井材（天井仕上げ材）との間にブレースが架設された吊り天井では、ブレースが天井材に剛性を付与し、天井材の変位量を低減させると共に、天井材に作用する水平力を負担しながら、躯体に伝達することで、天井材の損傷防止が図られる（特許文献１〜４参照）。天井材に作用する、野縁軸方向の水平力の一部は野縁からその方向のブレースを通じて躯体に伝達され、野縁受け軸方向の水平力の一部は野縁受けからその方向のブレースを通じて躯体に伝達される。
【０００３】
例えば図１２−（ａ）、（ｂ）に示すように隣接する吊り材間の距離とブレースの水平面に対する傾斜角度等の関係で、ブレースの下端部を吊り材の下端部に接続できない場合には、ブレースの下端部を野縁受けに接続することになるため、野縁受けの軸方向に吊り材の下端部とブレースの下端部との間に距離が確保されることになる。この場合、地震時等、野縁受けに軸方向力が交互に作用するときに、野縁受けと一方のブレースとの節点（ブレースの下端部）と、他方のブレースとの節点（ブレースの下端部）との間の区間に圧縮力が生じることがある。ブレースは図１２−（ｂ）に示すように吊り材の片側にのみ配置されることもあり、その場合、吊り材はブレースからの反力の鉛直成分に抵抗するために、圧縮力も負担する。
【０００４】
地震時等、天井材に生じる振動の速度が大きい状況下では、野縁受けに生じる軸方向力が正負の向きに交互に繰り返されるときに、軸方向力が全長に亘って一様にならず、吊り材との各節点とブレースとの各節点との間の区間で軸方向力に差が生ずることが想定される。このような状況のとき、野縁受けの吊り材との節点とブレースとの節点との間の区間に圧縮力が生ずることがあるため、野縁受けに座屈を生じさせる可能性がある。
【０００５】
ブレースが吊り材を挟んだ両側に対になって配置される場合には、野縁受けの、両側のブレースとの節点間に圧縮力が生ずる。野縁受けの、吊り材との節点とブレースとの節点との間の区間に圧縮力が生ずることは、野縁受けの軸方向力を対になるブレースが負担するときに、両ブレースからの反力の水平成分の大きさが相違する場合にも生じ得る。
【０００６】
また野縁受けの軸方向に直交する方向（幅方向）等、交差する方向には、天井材の振動時に野縁受けの下面側に接続されている野縁から野縁受けに水平力が伝達され、野縁受けには幅方向の水平力として作用するが、この水平力は野縁受けの下面側に作用するため、野縁受けに捩りモーメントを生じさせようとする。特に図１０−（ａ）に示すように野縁受け５の上面側にその幅方向を含む構面内に架設されたブレース８２、８２が接続されている場合には、ブレース８２、８２からの反力が野縁受け５に捩りモーメントを作用させ、捩り変形を与えることが想定される。
【０００７】
図１０−（ａ）に示すように野縁受け５の軸方向に隣接する野縁６、６間の中間に、野縁受け５の幅方向を含む構面内にブレース８２、８２が接続されている場合には、（ｂ）に示すように野縁受け５の軸方向に直交する断面上、野縁受け５の下面側に作用する野縁６の軸方向力と、上面側に作用するブレース８２、８２からの反力の水平成分が逆向きになる。このため、野縁６の軸方向力とブレース８２の反力が偶力を形成し、野縁受け５の、隣接する野縁６、６との接続部分間の区間に捩りモーメントが発生し、野縁受け５が捩り変形し易い状況になる。
【０００８】
野縁受け５の軸方向に吊り材２の下端部とブレース８の下端部との間の区間に座屈が生じ、幅方向には隣接する野縁間の区間に捩り変形が生じる結果として、野縁受け５の軸方向と幅方向の変形の影響が野縁６と天井材７との接合部の他、天井材７、７同士の接合部等に及び、これらの接合部が損傷する可能性がある。
【先行技術文献】
【特許文献】
【０００９】
【特許文献１】特開２００５−２４０５３８号公報（請求項１、段落００３０、００３５、図１、図３、図４）
【特許文献２】特開２００７−２３９４４１号公報（請求項１〜請求項４、段落００２２〜００３９、図１〜図４）
【特許文献３】特開２００７−２９１７６１号公報（請求項３、段落００３７〜００４３、図１、図４、図５）
【特許文献４】特開２００９−１６７７３７号公報（請求項３、段落００４０〜００４４、図１〜図３）
【特許文献５】特開２００９−２４３２２８号公報（請求項１０、段落００３６〜００３８、図１）
【特許文献６】特開２０１１−０４７１３４号公報（段落００１６、図１）
【発明の概要】
【発明が解決しようとする課題】
【００１０】
特許文献１、５はブレース、もしくは吊り材に座屈が生ずることに着目し、特許文献３は野縁に座屈が生ずることに着目しているが、野縁受けに座屈が生ずることに着目した例はない。特に図１２に示すように吊り材の下端部とブレースの下端部との間、または対になるブレースの下端部間に距離が確保された状態で、ブレースの下端部が野縁受けに接続された場合に野縁受けに生じ得る座屈を防止するための対策例を示す例はない。
【００１１】
本発明は上記背景より、吊り材の下端部とブレースの下端部との間に距離が確保された状態で、両下端部が野縁受けに接続される場合の野縁受けの座屈と捩り変形を防止し得る吊り天井の耐震補強構造を提案するものである。
【課題を解決するための手段】
【００１２】
請求項１に記載の発明の吊り天井の耐震補強構造は、躯体から懸垂した吊り材の下端部に野縁受けが支持され、この野縁受けに天井材を支持する野縁が接続され、前記躯体と前記野縁受けとの間に、少なくとも吊り材の片側にブレースが架設され、このブレースの下端部が前記野縁受けに接続された吊り天井において、
前記野縁受けの全長の内、前記吊り材の下端部と前記ブレースの下端部との間の区間に、前記野縁受けの軸方向に交差する方向に軸方向を向けて付加野縁が配置され、前記野縁受けに接続されていることを構成要件とする。
【００１３】
「吊り材の下端部に野縁受けが支持される」ことには、野縁受けが吊り材の下端部に単純に、例えば吊り材の下端部に対して軸方向に移動可能に支持される場合と、支持されながら接続（拘束）される場合が含まれる。野縁受けが吊り材の下端部に接続される場合は、吊り材の下端部が野縁受けの座屈長さを短縮する働きをするため、野縁受けの座屈長さは吊り材の下端部から、野縁受けに接続されるブレースの下端部との接続部分までの区間になる。
【００１４】
「少なくとも吊り材の片側に」とは、図１２−（ａ）に示すようにブレースが吊り材を挟んで対になって躯体と野縁受けとの間に架設される場合と、（ｂ）に示すように吊り材の片側にのみ、ブレースが躯体と野縁受けとの間に架設される場合があることを言う。「吊り材を挟んで対になる」ことは、ブレースが野縁受けの軸方向を含む構面方向に対になる場合と、野縁受けの幅方向等、野縁受けの軸方向に交差する方向を含む構面方向に対になる場合がある。躯体は鉄筋コンクリート造の場合の上階側のスラブ等であり、鉄骨造の場合の梁（桁）等の構造部材を指す。
【００１５】
ブレースは原則として平面上、二方向に架設されるため、野縁受けの軸方向を含む構面方向と、野縁受けの軸方向に交差する方向を含む構面方向に配置される。吊り材は天井材と野縁、野縁受け及びブレースを吊り支持するため、主に引張力を負担するが、図１２−（ｂ）のようにブレースが吊り材の片側にのみ配置される場合には、ブレースに生ずる反力の鉛直成分を受け、圧縮力を負担することもある。
【００１６】
野縁受けの軸方向に交差する方向（以下、本項目中、野縁受けの幅方向等と言う）は野縁受けの軸方向に直交する方向（野縁受けの幅方向）とその方向に対して傾斜した方向を含む。前記のように野縁受けの軸方向を含む構面方向に架設されるブレース（以下、本項目中、軸方向のブレース８１と言う）は野縁受けに座屈を生じさせ、野縁受けの幅方向等を含む構面方向に架設されるブレース（以下、本項目中、幅方向のブレース８２と言う）は野縁受けに捩り変形を生じさせる可能性がある。
【００１７】
軸方向のブレースと幅方向のブレースは吊り材を挟んで対になる場合、基本的に吊り材の軸線に関して線対称形に配置されるが、躯体下の空間（天井懐）の周辺寄りに配置される吊り材と周囲の壁等との間の距離、または天井内設備の配置等の制約から、ブレースは吊り材を挟んで線対称形に配置されないこともある。軸方向と幅方向共、ブレースの上端部は躯体に直接、もしくは接続用の部品を介して間接的に接続される。軸方向のブレースの下端部は野縁受けに直接、もしくは間接的に接続される。幅方向のブレースの下端部は野縁受け、または後述の付加野縁受けに直接、もしくは間接的に接続される。
【００１８】
野縁受けは吊り材の下端部に支持されるが、接続される場合は、野縁受けには吊り材の下端部が直接、もしくは間接的に接続される。吊り材の下端部と軸方向のブレースの下端部との間の区間に付加野縁が配置され、野縁受けに直接、もしくは間接的に接続される。軸方向のブレースが吊り材を挟んで対になる場合、吊り材は野縁受けの、２本のブレースの下端部間の中間に接続されるため、付加野縁は吊り材の下端部といずれかのブレースの下端部との間の区間に配置される。
【００１９】
「軸方向のブレースの下端部」は平面上、野縁受けの軸方向にブレースが野縁受けと重複する範囲を指し、「吊り材の下端部と軸方向のブレースの下端部との間の区間」は図９に矢印で示すように野縁受け５の側面上、ブレース８１の下端面の内、吊り材２から遠い側の線と野縁受け５との交点から吊り材２側の区間を指す。付加野縁９はこの区間に平面上、幅方向の一部が重複した状態で配置されていればよい。軸方向のブレース８１、８１が吊り材２を挟んで対になる場合には、対になるブレース８１、８１の下端部間の区間に付加野縁９の幅方向の一部が重複すればよい。
【００２０】
付加野縁と野縁受けとの接続は例えば溶接により、または双方に金物を渡し、ボルト（ねじ）を螺入させることにより行われる。付加野縁は野縁と同じ役目を持つため、天井材の上面に接触し得る状態で配置され、野縁受けには接続されることにより支持される。付加野縁は既存の天井材を支持している野縁に耐震補強の目的で付加（増設）される場合と、新規に構築される天井の野縁と共に、天井の耐震性を高める目的で補助的に付加される場合がある。
【００２１】
前記のように野縁受けの軸方向に天井材からの水平力が野縁受けに交互に作用し、振動の速度が大きい状況下では、野縁受けの全長の内、吊り材の下端部と軸方向のブレースの下端部との間の区間、または対になるブレースの下端部間の区間に圧縮力が作用する可能性がある。この圧縮力に対し、吊り材の下端部とブレースの下端部との間の区間に付加野縁が配置されることで、付加野縁がこの区間の座屈長さを短縮させるため、野縁受けの全体座屈を防止する働きをする。付加野縁はまた、野縁受けの、吊り材の下端部とブレースの下端部との間の区間の一部に重なることで、重なる区間の板厚を増すため、野縁受けの一部の局部座屈を防止する働きもする。
【００２２】
付加野縁は野縁に対して付加的に設置されるため、野縁受けの下面側の、隣接する野縁間の中間部に配置され、天井材には接続される場合（請求項２）と接続されない場合がある。付加野縁９が天井材７に接続される場合（請求項２）には、図１０に示すように幅方向のブレース８２から野縁受け５が捩りモーメントを受け、捩り変形を生じようとするときに、付加野縁９が天井材７に接続されていることで、野縁受け５の捩り変形を阻止するように働くことができるため、捩りモーメントに抵抗し、野縁受け５の捩り変形を防止する効果を発揮する。
【００２３】
前記のように天井材７に野縁受け５幅方向の水平力が作用したとき、野縁６から野縁受け５に伝達される水平力に対し、野縁受け５の上面側に接続された幅方向のブレース８２、８２からの反力の水平成分が、野縁受け５に作用する。この水平成分は野縁６からの水平力と共に偶力を形成し、野縁受け５に捩りモーメントを作用させることが想定される。これに対し、図１０に示すように付加野縁９が隣接する野縁６、６間の中間部に配置され、野縁受け５と天井材７に接続されていることで、野縁受け５の捩り変形を阻止するように機能することが可能になる。
【００２４】
付加野縁９は野縁受け５と共に天井材７に接続されることで、天井材７に作用する野縁受け５幅方向の水平力を野縁受け５に作用させることが考えられるが、幅方向のブレース８２が接続される側である野縁受け５上面側の反対側の下面側に接続されることで、ブレース８２による捩りモーメントを生じさせる偶力に抵抗できる状態にもあるため、捩りモーメントに抵抗し、野縁受け５の捩り変形を阻止するように働くことになる。特に付加野縁９が幅方向のブレース８２、８２と同一構面内に配置されていれば、付加野縁９に生じる反力の方向（野縁受け５の幅方向）がブレース８２、８２の反力の水平成分の方向に一致するため、最も効果的にブレース８２、８２による捩りモーメントに抵抗することが可能になる。
【００２５】
野縁受け５の軸方向には、吊り材２の下端部と軸方向のブレース８１の下端部との間の区間での座屈が防止され、幅方向には野縁受け５の捩り変形が防止されることで、野縁６と天井材７との接合部、及び天井材７、７同士の接合部等が損傷する可能性が低下するため、これらの接合部と天井材７自体を振動後も健全に保つことが可能になる。
【００２６】
幅方向のブレース８２も吊り材２の片側にのみ配置される場合と、吊り材２を挟んで対になる場合があるが、ブレース８２の下端部は野縁受け５に接続されるか、または付加野縁９と対になる形で野縁受け５の上面側に接続される、以下の付加野縁受け１１に接続される。
【００２７】
付加野縁９の上方には、幅方向のブレース８２を架設する場合に、そのブレース８２の下端部を受けるために、野縁受け５の軸方向に交差する方向（野縁受けの幅方向等）に軸方向を向けて付加野縁受け１１が配置されることもある（請求項３）。付加野縁受け１１は野縁受け５の上に、付加野縁９に平行に配置され、野縁受け５の上面側に直接、もしくは間接的に接続される。この場合、幅方向のブレース８２は図１１に示すように付加野縁受け１１に直接、もしくは間接的に接続される。
【００２８】
付加野縁受け１１は野縁受け５の幅方向等（野縁６の軸方向等）を向いて配置され、躯体１との間に架設される幅方向のブレース８２の下端部が接続されることで、野縁受け５の幅方向等に作用する天井材７からの水平力を野縁受け５を介して幅方向のブレース８２に伝達すると同時に、ブレース８２からの反力を野縁受け５に伝達する。付加野縁受け１１は図１、図５に示すように野縁受け５の幅方向に隣接する（並列する）複数本の野縁受け５、５間に亘って架設され、野縁受け５、５に接続される場合には、野縁受け５の上面側に接続されることで、付加野縁受け１１が跨る複数本の野縁受け５、５に、野縁６軸方向の水平力を分散させるため、付加野縁９と対になって野縁受け５の捩り変形を拘束する働きもする。
【００２９】
野縁受け５がその上面側に接続された幅方向のブレース８２からの反力を受けて捩り変形しようとするときには、前記のように野縁受け５の下面側に接続され、天井材７に接続された付加野縁９が捩り変形を阻止しようとする。野縁受け５の上面側に接続された付加野縁受け１１は隣接する複数本の野縁受け５、５間に跨ることで、天井材７に接続された付加野縁９と同様に、野縁受け５の捩り変形に抵抗できる状態にあるため、野縁受け５を上下から挟み込む付加野縁９と対になって野縁受け５の捩り変形を阻止することになる。付加野縁受け１１は付加野縁９と対になるため、既存の野縁受け５に対して耐震補強の目的で付加（増設）される場合と、新規に構築される天井の野縁受け５と共に、補助的に付加される場合がある。
【発明の効果】
【００３０】
吊り材の下端部とブレースの下端部との間の区間に付加野縁を配置し、野縁受けに接続することで、付加野縁が野縁受けの、吊り材下端部とブレース下端部との間の区間の座屈長さを短縮させるため、野縁受けの、吊り材下端部とブレース下端部との間の区間の全体座屈を防止することができる。また付加野縁が野縁受けに接続されることで、天井材に接続された場合に（請求項２）、付加野縁が野縁受けに作用する捩りモーメントに抵抗し、野縁受けの捩り変形を阻止しようとするため、野縁受けの、吊り材下端部とブレース下端部との間の区間の捩り変形を防止することも可能である。
【００３１】
野縁受けへの付加野縁の接続によって野縁受けの、吊り材下端部とブレース下端部との間の区間における座屈と捩り変形が防止される結果、野縁と天井材との接合部、及び天井材同士の接合部等の損傷を防止することができるため、これらの接合部と天井材自体を振動後も健全に保つことができる。
【図面の簡単な説明】
【００３２】
【図１】野縁の軸方向に並列する３本の野縁受けに跨る長さを持つ付加野縁を野縁受けの下面側に配置し、付加野縁と対になる付加野縁受けを野縁受けの上面側に配置した場合の、吊り材とブレース及び付加野縁と付加野縁受けの関係を示した斜視図である。
【図２】図１における付加野縁と付加野縁受けを付加野縁の軸方向に見た縦断面図である。
【図３】図１の平面図である。
【図４】ブレースが吊り材の片側にのみ配置され、吊り材に圧縮力を負担可能な鋼材（角形鋼管）を使用した場合の例を示した縦断面図である。
【図５】野縁の軸方向に並列する２本の野縁受けに跨る長さを持つ付加野縁を野縁受けの下面側に配置し、付加野縁と対になる付加野縁受けを野縁受けの上面側に配置した場合の、吊り材とブレース及び付加野縁と付加野縁受けの関係を示した斜視図である。
【図６】（ａ）は躯体に定着された定着材と吊り材及びブレースの関係を示した立面図、（ｂ）は吊り材の下端部に接続された連結材に野縁受けが支持されている様子を示した斜視図である。
【図７】野縁受けに野縁を接続する接続材と野縁受け及び野縁の関係を示した斜視図である。
【図８】野縁受けに付加野縁受けを連結する連結部材と野縁受け及び付加野縁受けの関係を示した斜視図である。
【図９】野縁受けに接続された、野縁受けの軸方向を含む構面方向に架設されたブレースの下端部と付加野縁の配置区間の関係を示した縦断面図である。
【図１０】（ａ）は野縁受けに野縁とブレースから捩りモーメントが作用する様子を示した斜視図、（ｂ）は（ａ）における野縁受けの軸方向に見た縦断面図である。
【図１１】野縁受けを挟んで付加野縁と対になる付加野縁受けを野縁受けの上面側に配置した様子を示した斜視図である。
【図１２】（ａ）は従来の吊り材と野縁受け及びブレースの関係を示した立面図、（ｂ）は吊り材に圧縮力を負担可能な鋼材を使用した場合の様子を示した立面図である。
【発明を実施するための形態】
【００３３】
図１は躯体１から懸垂した吊り材２の下端部に野縁受け５が支持され、野縁受け５に天井材７を支持する野縁６が接続された吊り天井において、野縁受け５の軸方向に交差する方向に軸方向を向けて付加野縁９を配置した耐震補強構造の例を示す。躯体１と野縁受け５との間には少なくとも吊り材２の片側にブレース８が架設され、ブレース８の下端部が野縁受け５に接続される。
【００３４】
付加野縁９は野縁受け５の全長の内、吊り材２の下端部とブレース８の下端部との間の区間の、野縁受け５の下面側に配置され、野縁受け５に接続される。図１は付加野縁９が野縁６の軸方向に並列する３本の野縁受け５に跨る長さを持つ場合の例を示している。図２は図１を付加野縁９の軸方向に見た縦断面を、図３は図１の平面を示す。ブレース８は図１、図２に示すように吊り材２を挟んだ両側に対になって配置される場合と、図４に示すように吊り材２の片側にのみ配置される場合がある。
【００３５】
野縁受け５は天井材７上に野縁６の軸方向に間隔を置いて配列し、吊り材２は図３に示すように平面上、野縁受け５の線上に、野縁受け５の軸方向に間隔を置いて配置される。吊り材２の上端部は躯体１に下面側からアンカーやボルト等によって直接、定着されるか、図６−（ａ）に示すように躯体１に下端側から定着（固定）される定着材３に接続されることにより躯体１から懸垂した状態で躯体１に支持される。
【００３６】
野縁受け５は吊り材２の下端部に直接、もしくは間接的に支持される。野縁受け５は吊り材２の下端部に接続されることもあり、その場合、吊り材２の下端部に直接、接続されるか、図６−（ｂ）に示すように吊り材２の下端部に接続される連結材４に接続される。吊り材２が野縁受け５を支持したときの偏心を回避する上では、吊り材２の軸線（水平断面上の中心線）は野縁受け５の軸線（中心線）上に位置する。
【００３７】
連結材４は例えば図６−（ｂ）、図９に示すように吊り材２の下端部が螺合等により接続される接続部４ａと、野縁受け５を支持、あるいは保持する支持部４ｂを持ち、接続部４ａに、吊り材２の下端部の区間に形成されたねじ部が螺入するか、貫通してナットが締結されることにより吊り材２が接続される。支持部４ｂは例えば野縁受け５を幅方向に挟み込む、もしくは包囲する形状をすることにより野縁受け５を支持するか、保持する。図面では支持部４ｂの、野縁受け５を挟み込む板要素間にねじ（ボルト）４ｃを貫通させ、ねじ４ｃの一端を締結することにより支持部４ｂに野縁受け５を保持させているが、連結材４の形態は問われない。図示する例の場合、野縁受け５は支持部４ｂに幅方向に挟持され、拘束されることで、実質的には支持部４ｂに接続された状態と同等になる。ねじ４ｃは後述の連結部材１２に付属するねじ１２ｃと同様に支持部４ｂと野縁受け５を貫通することもある。
【００３８】
図２に示すようにブレース８、８が吊り材２を挟んで対になる場合には、両ブレース８、８の反力の鉛直成分が互いに相殺されるため、吊り材２は天井材７の振動時を含め、主に引張力を負担できればよく、ボルトや鉄筋等、棒状の鋼材から形成される。図４に示すようにブレース８が吊り材２の片側にのみ配置される場合には、吊り材２は天井材７の振動時にブレース８の反力の鉛直成分に抵抗するために、引張力に加え、圧縮力を負担する必要があるため、吊り材２には鋼管等、圧縮力にも抵抗可能な鋼材が使用される。
【００３９】
野縁６は野縁受け５の下面側に、野縁受け５の軸方向に間隔を置いて配列し、野縁受け５には直接、接続されるか、野縁受け５に接続される接続材１０に接続される。野縁６は野縁受け５の軸方向に直交する方向（野縁受け５の幅方向）等、野縁受け５の軸方向に交差する方向に軸方向を向けて配置される。
【００４０】
ブレース８は野縁受け５の軸方向を含む構面方向と、野縁受け５の幅方向等、軸方向に交差する方向を含む構面方向に架設される。以下では野縁受け５の軸方向を含む構面方向に架設されるブレース８を軸方向のブレース８１と言い、野縁受け５の軸方向に交差する方向を含む構面方向に架設されるブレース８を幅方向のブレース８２と言う。
【００４１】
ブレース８（８１、８２）の上端部は例えば吊り材２の上端部を躯体１に接続するための定着材３の一部に接続される。定着材３は図６−（ａ）に示すように吊り材２を躯体１の下面に支持させるための軸部３ａとその周囲の、ブレース８側に突設された連結部３ｂを持ち、連結部３ｂにブレース８の上端部がねじ（ボルト）３ｃ等によって接続される。連結部３ｂは定着材３に接続されるブレース８の本数分、形成される。軸方向のブレース８１の下端部は図１、図２に示すように野縁受け５の側面等に直接、もしくはプレート等の金物を介して間接的に接続される。幅方向のブレース８２の下端部は図１、図１０、図１１に示すように野縁受け５に、または野縁受け５を挟んで付加野縁９と対になる付加野縁受け１１に直接、もしくはプレート等の金物を介して間接的に接続される。
【００４２】
各方向のブレース８１、８２の下端部は、吊り材２の長さと、野縁受け５の軸方向に隣接する吊り材２、２間距離と、ブレース８１、８２の水平面に対する傾斜角度等の関係から、図２、図４に示すように吊り材２下端部の連結材４から野縁受け５の軸方向に距離を置いた位置に接続される。ブレース８１、８２の水平面に対する傾斜角度は、天井懐の高さが必要以上に大きくならないようにする上では３０〜４５°程度に設定される。
【００４３】
付加野縁９は連結材４から、軸方向のブレース８１と野縁受け５との接続部分までの区間に配置される。付加野縁９は野縁６と同様、野縁受け５の下面側に配置され、野縁受け５に直接、もしくは接続材１０を介して間接的に接続される。図１、図２等では付加野縁９を図７に示すような、野縁受け５の下部フランジと付加野縁９の上部フランジの双方に接続のための片（板要素）を有する接続材１０に接続しているが、接続材１０の形態も問われない。
【００４４】
図７に示す接続材１０は天井下地材としての野縁受け５と野縁６に主に使用される溝形鋼（リップ溝形鋼）等の軽量形鋼や形鋼に適した形状をし、野縁受け５の下部フランジの上面に重なってねじ（ボルト）１０ｃにより接合される上部プレート１０ａと、野縁６の上部フランジ（リップ）の下面に重なりながら、上部プレート１０ａと対になって野縁６の上部フランジを挟み込む下部プレート１０ｂから構成されている。下部プレート１０ｂは上部プレート１０ａと共に野縁６の上部フランジを挟み込み、両プレート１０ａ、１０ｂをねじ（ボルト）１０ｃが貫通することにより野縁６に接合されると同時に、野縁受け５に接合される。
【００４５】
付加野縁９が配置される区間である、連結材４から軸方向のブレース８１と野縁受け５との接続部分までの区間は図９に示すように野縁受け５とブレース８１を幅方向に見たときに、ブレース８１下端部の、連結材４から遠い側の面（線）が野縁受け５と交わる点から連結材４までの区間を言う。ブレース８が吊り材２の片側にのみ配置される場合、付加野縁９は図４に示すように連結材４からブレース８１下端部までの区間に配置され、ブレース８１、８１が連結材４を挟んで対になって配置される場合には、付加野縁９は図９に示すように連結材４を挟んだ一方側のブレース８１の下端部と野縁受け５との交点と、他方側のブレース８１の下端部と野縁受け５との交点との間の区間に配置される。
【００４６】
図１、図２は付加野縁９上面の、連結材４から遠い側の部分（点）がブレース８１の軸線より連結材４寄りに位置するように付加野縁９を野縁受け５の下面側に配置した様子を示しているが、付加野縁９が野縁受け５の、連結材４からブレース８１との接続部分までの座屈長さ、または両ブレース８１、８１との接続部分間の座屈長さを短縮する上では、付加野縁９の上面の一部がブレース８１の軸線より連結材４寄りに位置していればよい。
【００４７】
野縁受け５が軸方向力を負担したときに座屈を起こす可能性は、ブレース８１からの反力により圧縮力を受け易い、連結材４からブレース８１下端部までの区間、または両ブレース８１、８１の下端部間で高い。このことから、連結材４から遠い側のブレース８１の下端部と野縁受け５との交わる点と、連結材４との間を結ぶ区間の一部に付加野縁９の幅方向の少なくとも一部が重なるように配置されれば、付加野縁９が野縁受け５の座屈長さを短縮させることができ、野縁受け５の座屈を防止することが可能である。
【００４８】
付加野縁９は天井材７上に配置されるため、天井材７には野縁６と同様に接続される場合と接続されない場合がある。付加野縁９が天井材７に接続される場合、付加野縁９は野縁受け５に接続された幅方向のブレース８２、８２からの反力によって野縁受け５が捩り変形を起こそうとするときに、その捩り変形を拘束する機能を持つ。
【００４９】
図１０−（ａ）に示すように野縁受け５幅方向の天井材７からの水平力が野縁６を通じて野縁受け５の下面側に伝達され、野縁受け５がその上面側に接続された幅方向のブレース８２、８２からの反力を受けるときには、野縁受け５が材軸回りに回転（捩り変形）しようとする。このとき、付加野縁９が野縁受け５の下面側に接続され、天井材７に接続されていることで、野縁受け５に回転を引き起こそうとする捩りモーメントに抵抗することができるため、野縁受け５の回転は阻止される。
【００５０】
幅方向のブレース８２、８２は図１０に示すように野縁受け５、もしくは付加野縁９に接続されることもあるが、図１等に示す例では野縁受け５の捩り変形に対する安定性を高めるために野縁受け５上に配置された付加野縁受け１１に幅方向のブレース８２、８２を接続している。付加野縁受け１１は図１１に示すように付加野縁９に平行に、野縁受け５の軸方向に直交等、交差する方向に軸方向を向けて野縁受け５上に配置され、野縁受け５の幅方向等に作用する天井材７からの水平力が幅方向のブレース８２、８２に伝達されるときに、付加野縁９と対になって野縁受け５を上下から挟み込み、拘束することで、野縁受け５の捩り変形を防止する働きをする。
【００５１】
野縁受け５上に付加野縁受け１１を配置する場合、野縁受け５には図８に示すように付加野縁受け１１を連結するための連結部材１２が接続される。図８に示す連結部材１２は連結材４と同様に野縁受け５を幅方向に跨いで、または挟み込んで挟持することにより野縁受け５に接続される保持部１２ａと、保持部１２ａに溶接等により一体化し、野縁受け５の幅方向の少なくとも片側に突出し、付加野縁受け１１の側面が接触し得る高さを有する接合部１２ｂを持ち、保持部１２ａにおいて野縁受け５に接続され、接合部１２ｂにおいて付加野縁受け１１にねじ（ボルト）１２ｃ等により接合される。
【００５２】
図８では保持部１２ａを連結材４の支持部４ｂと同様、野縁受け５を挟み込む板要素間にねじ（ボルト）１２ｃを貫通させ、ねじ１２ｃの一端を締結することにより保持部１２ａに野縁受け５を保持させ、接続している。保持部１２ａを貫通する一部のねじ１２ｃは野縁受け５を幅方向に貫通しているが、野縁受け５を貫通するねじ１２ｃは省略されることもある。
【００５３】
付加野縁受け１１は幅方向のブレース８２、８２からの反力を複数本の野縁受け５、５に分散させて伝達するために、野縁６の軸方向に並列する複数本の野縁受け５、５に跨って野縁受け５、５上に載置され、野縁受け５の下面側に接続された付加野縁９と対になり、野縁受け５を高さ方向に挟んで野縁受け５に接続される。付加野縁受け１１は付加野縁９と共に野縁受け５を挟み込みながら、複数本の野縁受け５、５に跨ることで、野縁受け５が捩り変形しようとするときに負担する捩りモーメントを複数本の野縁受け５、５に分担させ、野縁受け５の捩り変形を防止する効果を発揮する。
【００５４】
図５は野縁６の軸方向に並列する２本の野縁受け５、５に跨る長さを持つ付加野縁９を野縁受け５の下面側に配置すると共に、同じ２本の野縁受け５、５に跨る長さを持ち、付加野縁９と対になる付加野縁受け１１を野縁受け５の上面側に配置し、連結部材１２を介して付加野縁９と付加野縁受け１１を野縁受け５に接続した場合の例を示す。この例においても図１に示す例と同様に軸方向のブレース８１、８１は野縁受け５に接続材１０を介して接続され、幅方向のブレース８２、８２は付加野縁受け１１に連結部材１２を介して接続されている。
【００５５】
図５に示す例でも付加野縁受け１１が付加野縁９と共に野縁受け５を挟み込みながら、２本の野縁受け５、５に跨ることで、野縁受け５が負担する捩りモーメントを２本の野縁受け５、５に分担させ、野縁受け５の捩り変形を防止する効果を発揮する。
【符号の説明】
【００５６】
１……躯体、
２……吊り材、３……定着材、３ａ……軸部、３ｂ……連結部、
４……連結材、４ａ……接続部、４ｂ……支持部、４ｃ……ねじ、
５……野縁受け、６……野縁、７……天井材、
８……ブレース、８１……軸方向のブレース、８２……幅方向のブレース、
９……付加野縁、
１０……接続材、１０ａ……上部プレート、１０ｂ……下部プレート、１０ｃ……ねじ、
１１……付加野縁受け、
１２……連結部材、１２ａ……保持部、１２ｂ……接合部、１２ｃ……ねじ。
【図１】
2014231680.tif 000003
【図２】
2014231680.tif 000004
【図３】
2014231680.tif 000005
【図４】
2014231680.tif 000006
【図５】
2014231680.tif 000007
【図６】
2014231680.tif 000008
【図７】
2014231680.tif 000009
【図８】
2014231680.tif 000010
【図９】
2014231680.tif 000011
【図１０】
2014231680.tif 000012
【図１１】
2014231680.tif 000013
【図１２】
2014231680.tif 000014